(57)【要約】  所定の時間にわたって操作レバー（９）から操作信号が出力されないときに、エンジンコントロールダイヤル（１３）で入力される入力回転数より低いアイドル回転数にエンジン（２）の目標回転数を設定する目標回転数設定部（２９）と、目標回転数設定部で設定された目標回転数に基づいてエンジンの回転数を制御する回転数制御部（２３）とを備える。目標回転数設定部（２９）は、エンジンの置かれた環境に係る状態量の変化によるエンジンの出力低下が抑制されるように、センサ（２７，２８，３０）の検出値に応じてアイドル回転数を補正するアイドル回転数設定部（４２）を備える。これにより、環境の変化に応じてエンジン出力が低下した場合でも、オートアイドル状態から復帰する際における操作フィーリングを良好に保持できる
2012050136.tif 000002
【特許請求の範囲】
【請求項１】
エンジンと、このエンジンによって駆動される油圧ポンプと、この油圧ポンプから吐出される圧油によって駆動される油圧アクチュエータと、前記油圧ポンプから前記油圧アクチュエータに供給される圧油の流れを制御する弁と、操作量に応じた操作信号を出力して前記弁を制御する操作装置と、前記エンジンの環境に係る状態量を検出する検出手段と、前記エンジンの回転数を入力する回転数入力手段とを備える建設機械の制御装置において、
所定の時間経過後も前記操作装置から前記操作信号が出力されないときに、前記回転数入力手段で入力される前記入力回転数より低いアイドル回転数に前記エンジンの目標回転数を設定する目標回転数設定部と、
この目標回転数設定部で設定された前記目標回転数に基づいて前記エンジンの回転数を制御する回転数制御部とを備え、
前記目標回転数設定部は、前記状態量の変化による前記エンジンの出力低下が抑制されるように、前記検出手段の検出値に応じて前記アイドル回転数を補正するアイドル回転数設定部を有することを特徴とする建設機械の制御装置。
【請求項２】
請求項１に記載の建設機械の制御装置において、
前記検出手段は、大気圧を検出する圧力検出手段であり、
前記アイドル回転数設定部は、前記圧力検出手段で検出された大気圧の低下に合わせて高くなるように前記アイドル回転数を補正することを特徴とする建設機械の制御装置。
【請求項３】
請求項１又は２に記載の建設機械の制御装置において、
前記検出手段は、前記エンジンの冷却水温度を検出する冷却水温度検出手段であり、
前記アイドル回転数設定部は、前記冷却水温度検出手段で検出された冷却水温度の低下に合わせて高くなるように前記アイドル回転数を補正することを特徴とする建設機械の制御装置。
【請求項４】
請求項１から３のいずれかに記載の建設機械の制御装置において、
前記検出手段は、前記エンジンの燃料温度を検出する燃料温度検出手段であり、
前記エンジン制御部は、前記燃料温度検出手段で検出される燃料温度が、第１設定値以下の場合には当該燃料温度の低下に合わせて高くなるように前記アイドル回転数を補正し、前記第１設定値より大きく設定された第２設定値以上の場合には当該燃料温度の増加に合わせて大きくなるように前記アイドル回転数を補正することを特徴とする建設機械の制御装置。
【請求項５】
請求項１から４のいずれかに記載の建設機械の制御装置において、
所定の時間に亘って前記操作装置から前記操作信号が出力されないときに、前記目標回転数設定部が前記エンジンの目標回転数を前記アイドル回転数に設定することを許可するか否かを切り換える手段をさらに備えることを特徴とする建設機械の制御装置。
【発明の詳細な説明】
【技術分野】
【０００１】
本発明は操作装置が中立位置にあるときにエンジン回転数をアイドル回転数まで低減する建設機械の制御装置に関する。
【背景技術】
【０００２】
油圧ショベル等の建設機械では、エンジン（ディーゼルエンジン）の回転数を、回転数入力装置（例えばエンジンコントロールダイヤル）により指示しており、当該回転数入力装置をオペレータが操作することでエンジンの目標回転数が設定される。このような建設機械には、油圧アクチュエータ（被駆動体）の動作を指示する操作装置（操作レバー）の全てが中立位置に保持された時点から所定の時間が経過したとき、回転数入力装置が指示する回転数よりも低い値（アイドル回転数）にエンジン回転数を設定する制御（オートアイドル制御）を行うことで、燃料消費量（以下、燃費と称することがある）や騒音の低減等を図っているものがある。【０００３】
オートアイドル制御を行う建設機械に関する技術としては、例えば、エンジン回転数及び油圧ポンプの容量（傾転角）を増加させる際における両者の応答性の違いに起因する黒煙の発生や燃費低下等の防止を目的としたものがある（特許文献１参照）。この技術は、オートアイドル時にエンジン回転数とともに油圧ポンプの容量を小さくして、その後、オートアイドル状態から通常状態に復帰する際には、エンジン回転数を復帰させた後に所定の時間を空けてから油圧ポンプの容量を復帰させることで、当該目的の解決を試みている。
【先行技術文献】
【特許文献】
【０００４】
【特許文献１】特開平９−６８１６９号公報
【発明の概要】
【発明が解決しようとする課題】
【０００５】
ところで、建設機械のエンジンの出力はエンジンの置かれた環境に応じて変化する。例えば、建設機械を使用する場所が高地である場合には、大気圧の低下によりエンジン出力は低下する。オートアイドル状態から復帰する際に油圧アクチュエータを動作させる等して急にエンジンに負荷を加えると、燃料の供給が間に合わずエンジン回転数が低下する現象（ラグダウン）が生じることがあるが、上記のように大気圧の低下によりエンジン出力が低下すると、このラグダウンによるエンジン回転数の低下が平地の場合よりも大きくなったり、場合によってはエンストが発生したりすることも懸念される。このようなエンジン出力の変化は、上記の大気圧の変化の他にも、エンジン冷却水温度や燃料温度が変化した場合にも発生する。【０００６】
本発明の目的は、環境の変化に応じてエンジン出力が低下した場合でも、オートアイドル状態から復帰する際における操作フィーリングを良好に保持できる建設機械の制御装置を提供することにある。
【課題を解決するための手段】
【０００７】
（１）本発明は、上記目的を達成するために、エンジンと、このエンジンによって駆動される油圧ポンプと、この油圧ポンプから吐出される圧油によって駆動される油圧アクチュエータと、前記油圧ポンプから前記油圧アクチュエータに供給される圧油の流れを制御する弁と、操作量に応じた操作信号を出力して前記弁を制御する操作装置と、前記エンジンの環境に係る状態量を検出する検出手段とを備え、前記エンジンの回転数を入力する回転数入力手段とを備える建設機械の制御装置において、所定の時間経過後も前記操作装置から前記操作信号が出力されないときに、前記回転数入力手段で入力される前記入力回転数より低いアイドル回転数に前記エンジンの目標回転数を設定する目標回転数設定部と、この目標回転数設定部で設定された前記目標回転数に基づいて前記エンジンの回転数を制御する回転数制御部とを備え、前記目標回転数設定部は、前記状態量の変化による前記エンジンの出力低下が抑制されるように、前記検出手段の検出値に応じて前記アイドル回転数を補正するアイドル回転数設定部を有するものとする。【０００８】
（２）上記（１）において、好ましくは、前記検出手段は、大気圧を検出する圧力検出手段であり、前記アイドル回転数設定部は、前記圧力検出手段で検出された大気圧の低下に合わせて高くなるように前記アイドル回転数を補正するものとする。【０００９】
（３）上記（１）又は（２）において、好ましくは、前記検出手段は、前記エンジンの冷却水温度を検出する冷却水温度検出手段であり、前記アイドル回転数設定部は、前記冷却水温度検出手段で検出された冷却水温度の低下に合わせて高くなるように前記アイドル回転数を補正するものとする。【００１０】
（４）上記（１）から（３）のいずれかにおいて、好ましくは、前記検出手段は、前記エンジンの燃料温度を検出する燃料温度検出手段であり、前記エンジン制御部は、前記燃料温度検出手段で検出される燃料温度が、第１設定値以下の場合には当該燃料温度の低下に合わせて高くなるように前記アイドル回転数を補正し、前記第１設定値より大きく設定された第２設定値以上の場合には当該燃料温度の増加に合わせて大きくなるように前記アイドル回転数を補正するものとする。【００１１】
（５）上記（１）から（４）のいずれかにおいて、好ましくは、所定の時間に亘って前記操作装置から前記操作信号が出力されないときに、前記目標回転数設定部が前記エンジンの目標回転数を前記アイドル回転数に設定することを許可するか否かを切り換える手段をさらに備えるものとする。
【発明の効果】
【００１２】
本発明によれば、環境の変化に応じてエンジン出力が低下してもラグダウンを軽減することができるので、オートアイドル状態から復帰する際における操作フィーリングを良好に保持できる。
【図面の簡単な説明】
【００１３】
【図１】本発明の実施の形態に係る建設機械の概略構成図。
【図２】本発明の実施の形態に係る制御装置４０の概略構成図。
【図３】本発明の実施の形態におけるオートアイドル制御部４５が行うスイッチ制御処理のフローチャート。
【図４】本発明の実施の形態における目標回転数設定部２９が行う目標回転数設定処理のフローチャート。
【図５】本発明の実施の形態における入力回転数設定部４１で算出される目標回転数とダイヤル角θの関係の一例を示す図。
【発明を実施するための形態】
【００１４】
以下、本発明の実施の形態を図面を用いて説明する。
【００１５】
図１は本発明の実施の形態に係る建設機械の概略構成図である。この図に示す建設機械は、いわゆる電子制御型のエンジン（ディーゼルエンジン）２と、エンジン２の出力軸に機械的に連結されエンジン２によって駆動される可変容量型の油圧ポンプ４と、エンジン２によって駆動される補助油圧ポンプ１７と、油圧ポンプ４から吐出される圧油によって駆動される油圧アクチュエータ６と、油圧ポンプ４から油圧アクチュエータ６に吐出される圧油の流れ（方向及び流量）を制御するパイロット式の方向切換弁８と、補助油圧ポンプ１７からの圧油を利用して操作量に応じた操作信号（油圧信号）を出力し、方向切換弁８の切換方向を制御する操作レバー（操作装置）９と、エンジン２の置かれた環境に係る状態量を検出する圧力センサ２７、温度センサ２８及び温度センサ３０（検出手段）と、エンジン２の回転数を入力するエンジンコントロールダイヤル（回転数入力手段）１３と、エンジン２を制御する制御装置４０を備えている。
【００１６】
エンジンコントロールダイヤル１３（以下、ＥＣダイヤルと称することがある）は、オペレータによってエンジン２の目標回転数が入力される回転数入力装置である。ＥＣダイヤル１３は、油圧ショベルのキャブ内に設置され、ダイヤルの角度（ダイヤル角）θを調節することでエンジン２の目標回転数を入力できる。以下において、ＥＣダイヤル１３で入力される回転数を入力回転数と称することがある。なお、この他の回転数入力装置としてはスロットルレバー等がある。
【００１７】
制御装置４０には、圧力センサ２７と、温度センサ２８と、温度センサ３０と、ＥＣダイヤル１３と、操作圧センサ２６と、オートアイドル許可スイッチ３９が接続されており、制御装置４０には、これらから出力される信号が入力されている。
【００１８】
圧力センサ２７は大気圧を検出する大気圧検出手段で、温度センサ２８はエンジン２の冷却水温を検出する冷却水温度検出手段で、温度センサ３０はエンジン２の燃料温度を検出する燃料温度検出手段である。操作圧センサ２６は、操作レバー９から方向切換弁８に出力される操作信号（油圧信号）を検出するものである。なお、本実施の形態における操作圧センサ２６はシャトル弁１０を通過した圧油の圧力を操作信号として検出している。これは、操作レバー９の操作（傾倒方向及び傾倒量）に応じて方向切換弁８に印加される圧油のうち圧力が最大のものがシャトル弁１０を介してセンサ２６に入力されており、そのシャトル弁１０を通過した圧油と同じ圧力のものが方向切換弁８に対して操作信号として作用するからである。
【００１９】
オートアイドル許可スイッチ３９は、制御装置４０にオートアイドル制御を行うことを許可するか否かを切り換えるための装置（切換手段）である。ここで、「オートアイドル制御」とは、所定の時間経過後も（すなわち、所定の時間に亘って）操作レバー９からの操作信号が方向切換弁８に出力されず、操作レバー９の全てが中立位置に保持されていると判断されたときに、ＥＣダイヤル１３から入力される回転数より低い回転数（アイドル回転数）にエンジン２の目標回転数を強制的に設定する制御のことをいう。オートアイドル許可スイッチ３９は、油圧ショベルであればキャブ内に設置することが好ましい。
【００２０】
スイッチ３９をＯＮに切り換えて、所定の時間経過後も操作レバー９から操作信号が出力されないと判断された場合には、オートアイドル制御が自動的に実行される。一方、スイッチ３９をＯＦＦに切り換えると、当該所定の時間経過後も操作レバー９から操作信号が出力されないと判断された場合でも、オートアイドル制御は実行されない。
【００２１】
なお、図１には、油圧アクチュエータ６のシンボルとして油圧モータが記載されているが、これは例示に過ぎず、他のアクチュエータ（油圧シリンダ等）が利用可能であることは言うまでもない。
【００２２】
図２は本発明の実施の形態に係る制御装置４０の概略構成図である。この図に示す制御装置４０は、オートアイドル制御部４５と、目標回転数設定部２９と、回転数制御部２３を備えている。また、制御装置４０は、処理内容や処理結果を記憶するためのＲＯＭやＲＡＭ等の記憶装置（図示せず）と、その記憶装置に記憶された処理内容を実行するＣＰＵ等の処理装置（図示せず）を備えている。
【００２３】
オートアイドル制御部４５は、オートアイドル制御の開始及び停止を制御する部分である。本実施の形態におけるオートアイドル制御部４５は、目標回転数設定部２９が、アイドル回転数設定部４２で設定されるアイドル回転数をエンジン２の目標回転数として利用することを許可するか否かを切り換えることで、オートアイドル制御の開始及び停止を制御している。さらに具体的には、本実施の形態におけるオートアイドル制御部４５は、最小値選択部３７と第２加算器３６の間に設置されたオートアイドル開始スイッチ１１のＯＮ／ＯＦＦ状態を切り替えることで、オートアイドル制御の開始及び停止を制御している。また、本実施の形態におけるオートアイドル制御部４５には、オートアイドル許可スイッチ３９から出力されるスイッチ信号Ｓ３９と、操作圧センサ２６から出力される操作圧センサ値Ｐｐと、ＥＣダイヤル１３から出力されるダイヤル角θが入力されている。
【００２４】
図３は本発明の実施の形態におけるオートアイドル制御部４５が行うスイッチ制御処理のフローチャートである。この図に示すように、オートアイドル制御部４５は、まず、スイッチ信号Ｓ３９に基づいてオートアイドル許可スイッチ３９がＯＮの状態に切り換えられているか否かを判定する。オートアイドル許可スイッチ３９がＯＮの状態であると判定された場合には、Ｓ２０２に進む。
【００２５】
Ｓ２０２では、オートアイドル制御部４５は、操作レバー９が中立位置に保持された状態（油圧アクチュエータ６を動作させていない状態）にあり、当該状態が設定時間Ｓ１以上継続しているか否かを判定する。本実施の形態では、操作圧センサ２６の操作圧センサ値Ｐｐが設定値Ｐｏ以下の状態が設定時間Ｓ１以上継続しているか否かで当該条件を判定している。なお、ここで設定時間Ｓ１だけ待機する理由は、オペレータが中立位置を挟んで逆方向に操作レバー９を動かす場合等、ごく短い瞬間だけ操作量がゼロとなる場合があり、オートアイドル制御が誤って実行されることを防止するためである。また、Ｓ２０２の処理において基準となる設定値Ｐｏは、操作レバー９から出力される圧油によって方向切換弁８が移動し始める圧力よりも小さく設定することが好ましい。
【００２６】
Ｓ２０２で操作レバー９が設定時間Ｓ１以上継続して中立位置に保持されていることが確認できたら、オートアイドル制御部４５は、ＥＣダイヤル１３が操作されていない状態が、設定時間Ｓ２以上継続しているか否かを判定する（Ｓ２０３）。本実施の形態では、ＥＣダイヤル１３から出力されるダイヤル角θの値が設定時間Ｓ２以上保持されているか否かで当該条件を判定している。
【００２７】
Ｓ２０３でＥＣダイヤル１３が操作されていない状態が設定時間Ｓ２以上継続していることが確認できたら、オートアイドル制御部４５は、所定の時間Ｓｅだけ遅らせて、オートアイドル開始スイッチ１１をＯＮの状態に切り換える（Ｓ２０４）。これにより、アイドル回転数設定部４２で算出されたアイドル回転数が最小値選択部３７に出力されることになるので、目標回転数設定部２９がエンジン２の目標回転数としてアイドル回転数を利用することが許可される。Ｓ２０４が終了したら、Ｓ２０１に戻り、Ｓ２０１以降の処理を繰り返す。
【００２８】
一方、Ｓ２０１でオートアイドル許可スイッチ３９がＯＦＦに切り換えられている場合、Ｓ２０２で操作レバー９が設定時間Ｓ１以上継続して中立位置に無い場合、又は、Ｓ２０３でＥＣダイヤル１３のダイヤル角θの値が設定時間Ｓ２以上保持されていない場合には、オートアイドル開始スイッチ１１を直ちにＯＦＦの状態に切り換える（Ｓ２０５）。これにより、アイドル回転数設定部４２で算出されたアイドル回転数は最小値選択部３７に出力されなくなるので、目標回転数設定部２９がエンジン２の目標回転数としてアイドル回転数を利用することが禁止される。Ｓ２０５が終了したら、Ｓ２０１に戻り、Ｓ２０１以降の処理を繰り返す。
【００２９】
なお、本実施の形態では、オートアイドル許可スイッチ３９を設置することで、オペレータの意図に応じたオートアイドル制御の実行を図ったが、オートアイドル許可スイッチ３９を省略して、常にオートアイドル制御が実行されるように建設機械を構成しても良い。さらに、本実施の形態では、オートアイドル制御が実行される条件として、ＥＣダイヤル１３が無操作である時間が設定時間Ｓ２以上であることを含めたが、当該条件は省略しても良い。すなわち、操作レバー９の状態のみに基づいてオートアイドル制御を実行しても良い。
【００３０】
図２に戻り、目標回転数設定部２９は、エンジン２の目標回転数を設定する部分であり、入力回転数設定部４１と、アイドル回転数設定部４２と、最小値選択部３７を備えている。
【００３１】
入力回転数設定部４１は、ＥＣダイヤル１３のダイヤル角θに基づいて通常状態で利用される目標回転数（入力回転数）を算出するための部分である。入力回転数設定部４１にはＥＣダイヤル１３からダイヤル角θが入力されている。入力回転数設定部４１で算出される入力回転数は、図２中のテーブルが示すようにダイヤル角θに比例しており、ダイヤル角θの増加に合わせて増加するように算出される。ここで算出された入力回転数は最小値選択部３７に出力される。
【００３２】
入力回転数設定部４１で算出される目標回転数の具体例について図を用いて説明する。図５は入力回転数設定部４１で算出される目標回転数とダイヤル角θの関係の一例を示す図である。この図に示すように、目標回転数は、ダイヤル角θが最小のときに最小値に設定され、ダイヤル角θが最大のときに最大値に設定される。さらにこの図に示した例では、目標回転数の最小値はエンジン始動時（ローアイドル）の回転数（ローアイドル回転数）に設定されており、目標回転数の最大値はエンジン最大回転数に設定されている。
【００３３】
アイドル回転数設定部４２は、オートアイドル制御の実行時におけるエンジン回転数（アイドル回転数）を設定する部分であり、基本アイドル回転数記憶部３８と、補正ゲイン演算部４３と、第１加算器３５と、第２加算器３６を備えている。アイドル回転数設定部４２で算出されるアイドル回転数は、エンジン２の環境に係る状態量（大気圧、冷却水温度、燃料温度）の変化によるエンジン２の出力低下が抑制されるように、各センサ２７，２８，３０の検出値に応じて補正ゲイン演算部４３で算出される補正ゲインによって補正されている。なお、図２に示した構成より明らかであるが、アイドル回転数設定部４２によって設定されるアイドル回転数は、入力回転数設定部４１で設定される目標回転数とは別に設定される回転数である。
【００３４】
基本アイドル回転数記憶部３８は、アイドル回転数を設定する際に基準となる回転数（基本アイドル回転数）が記憶されている部分である。このとき、燃料消費量を抑制する観点からは、例えば、平地において予め設定された所定の温度条件で操作レバー９が操作され、ＥＣダイヤル１３で設定された目標回転数にエンジン回転数が復帰する際に、操作レバー９の操作によって動作する油圧アクチュエータ６の負荷が急に作用してもエンジンストールを生じないトルクを発生できるエンジン回転数のうち最低のものを基本アイドル回転数と設定することが好ましい。基本アイドル回転数記憶部３８は、記憶されている基本アイドル回転数を第２加算器３６に出力する。
【００３５】
なお、基本アイドル回転数は、上記の点を考慮した上で、エンジンの出力トルク等の性能に基づいて設定することが好ましい。この種の設定方法としては、例えば、低速回転数域の出力トルクが相対的に低いエンジンでは基本アイドル回転数を相対的に高めに設定し、低速回転数域の出力トルクが相対的に高いエンジンでは基本アイドル回転数を相対的に低めに設定するものがある。
【００３６】
補正ゲイン演算部４３は、基本アイドル回転数に加える補正ゲインを演算するための部分である。補正ゲイン演算部４３は、第１演算部３２と、第２演算部３３と、第３演算部３４を備えている。
【００３７】
第１演算部３２は、圧力センサ２７から出力される大気圧センサ値Ｐａに基づいて補正ゲインを演算する部分である。第１演算部３２は、図２中のテーブルが示すように、圧力センサ２７で検出された大気圧センサ値Ｐａの低下に合わせてアイドル回転数が高くなるように補正ゲインを算出する。すなわち、一般的に大気圧が低いほどエンジン出力が低下する傾向があるので、第１演算部３２は、大気圧が低いほどアイドル回転数が高くなるように補正ゲインを算出している。第１演算部３２で算出された補正ゲインは第１加算器３５に出力される。
【００３８】
第２演算部３３は、温度センサ２８から出力される冷却水温度センサ値Ｔｃに基づいて補正ゲインを演算する部分である。第２演算部３３は、図２中のテーブルが示すように、温度センサ２８で検出された冷却水温度センサ値Ｔｃの低下に合わせてアイドル回転数が高くなるように補正ゲインを算出する。すなわち、一般的に冷却水温度が低いほどエンジン出力が低下する傾向があるので、第２演算部３３は、冷却水温度が低いほどアイドル回転数が高くなるように補正ゲインを算出している。第２演算部３３で算出された補正ゲインは第１加算器３５に出力される。
【００３９】
第３演算部３４は、温度センサ３０から出力される燃料温度センサ値Ｔｆに基づいて補正ゲインを演算する部分である。第３演算部３４は、図２中のテーブルが示すように、燃料温度センサ値Ｔｆが第１設定値Ｔｆ１以下の場合には燃料温度の低下に合わせてアイドル回転数が高くなるように補正ゲインを算出する（すなわち、算出される補正ゲインは燃料温度の低下に合わせて大きくなる）。また、燃料温度センサ値Ｔｆが、第１設定値Ｔｆ１より大きく設定された第２設定値Ｔｆ２（すなわち、Ｔｆ１＜Ｔｆ２）以上の場合には燃料温度の増加に合わせてアイドル回転数が高くなるように補正ゲインを算出する（すなわち、算出される補正ゲインは燃料温度の増加に合わせて大きくなる）。一般的に、低温域（本実施の形態ではＴｆ１以下）では燃料温度の低下に合わせてエンジン出力も低下する傾向があり、高温域（本実施の形態ではＴｆ２以上）では燃料温度の上昇に合わせてエンジン出力が低下する傾向がある。そこで、第３演算部３４は、このような燃料温度とエンジン出力の関係に基づいてエンジン出力の低下が抑制できるように補正ゲインを算出している。第３演算部３４で算出された補正ゲインは第１加算器３５に出力される。
【００４０】
第１加算器３５は、第１演算部３３、第２演算部３４及び第３演算部３５から出力された補正ゲインを加算する部分である（以下、各補正ゲインを合計したものを合計補正ゲインと称することがある）。なお、合計補正ゲインを算出する際には、各演算部３３，３４，３５から出力される各補正ゲインに適宜重み付けをして合計補正ゲインを算出しても良い。第１加算器３５で算出された合計補正ゲインは第２加算器３６に出力される。
【００４１】
第２加算器３６は、基本アイドル回転数記憶部３８から出力される基本アイドル回転数に第１加算器３５から出力される合計補正ゲインを加算してアイドル回転数を算出する部分である。第２加算器３６が算出したアイドル回転数は、オートアイドル開始スイッチ１１がＯＮに切り換えられているときに限って、最小値選択部３７に出力される。
【００４２】
なお、本実施の形態におけるアイドル回転数設定部４２で設定されるアイドル回転数の可変範囲の下限は、入力回転数設定部４１で設定される目標回転数の最小値とする。すなわち、図５に示した例では、アイドル回転数の下限値は、ローアイドル回転数に一致する。このようにアイドル回転数の可変範囲の下限値を設定すると、エンジン始動時のローアイドル回転数までアイドル回転数を低減することができる。
【００４３】
最小値選択部３７は、入力回転数設定部４１から出力される入力回転数とアイドル回転数設定部４２（第２加算器３６）から出力されるアイドル回転数とを比較することで、値の小さい方をエンジン２の実際の目標回転数と設定し、さらに、当該設定した目標回転数を実現するための回転数指令値を回転数制御部２３に出力する部分である。すなわち、本実施の形態においてオートアイドルが機能するのは、ＥＣダイヤル１３のダイヤル角θに基づいて入力回転数設定部４１で決定される目標回転数が、アイドル回転数設定部４２で設定されるアイドル回転数よりも大きく設定されている場合に限られる。なお、入力回転数設定部４１でローアイドル回転数が設定されている場合（図５でダイヤル角θが最小の場合）に、アイドル回転数設定部４２でもローアイドル回転数が設定された場合には、ローアイドル回転数を回転数制御部２３に出力するものとする。
【００４４】
回転数制御部２３は、目標回転数設定部２９で設定された目標回転数に基づいてエンジン２の回転数を制御する部分であり、本実施の形態ではエンジン２に設置されている（図１参照）。回転数制御部２３には目標回転数設定部２９から回転数指令値が出力されており、回転数制御部２３は当該回転数指令値に基づいてエンジン２の回転数を制御している。
【００４５】
図４は本発明の実施の形態における目標回転数設定部２９が行う目標回転数設定処理のフローチャートである。この図に示すように、目標回転数設定部２９は、まず、入力回転数設定部４１において、ＥＣダイヤル１３から出力されるダイヤル角θを入力し（Ｓ３０１）、その入力したダイヤル角θの値に基づいて入力回転数を設定する（Ｓ３０２）。
【００４６】
Ｓ３０３において、オートアイドル開始スイッチ１１がＯＦＦに切り換えられている場合には、最小値選択部３７には入力回転数が出力されているのみなので、目標回転数設定部２９は、当該入力回転数を目標回転数に設定し（Ｓ３０８）、回転数指令値を回転数制御部２３に出力する（Ｓ３０９）。これによりエンジン２は通常状態で制御される（すなわち、ＥＣダイヤル１３で入力された回転数（入力回転数）で回転される）。Ｓ３０９が終了したら、Ｓ３０１に戻って以降の処理を繰り返す。
【００４７】
一方、Ｓ３０３において、オートアイドル開始スイッチ１１がＯＮに切り換えられている場合には、アイドル回転数設定部４２は、補正ゲイン演算部４３の各演算部３２，３３，３４において各センサ２７，２８，３０のセンサ値を入力し（Ｓ３０４）、第１加算器３５で合計補正ゲインを算出する（Ｓ３０５）。そして、アイドル回転数設定部４２は、基本アイドル回転数記憶部３８に記憶されている基本アイドル回転数を第２加算器３６に入力し（Ｓ３０６）、その基本アイドル回転数にＳ３０５で算出した合計補正ゲインを加えてアイドル回転数を算出する（Ｓ３０７）。アイドル回転数設定部４２で算出されたアイドル回転数は、Ｓ３０２で算出された入力回転数と最小値選択部３７において比較され、両者のうち小さい方が目標回転数として設定され（Ｓ３０８）、回転数制御部２３に出力される（Ｓ３０９）。通常、Ｓ３０８では、目標回転数としてアイドル回転数が設定されるので、これによりエンジン２はオートアイドル状態に制御される。Ｓ３０９が終了したら、Ｓ３０１に戻って以降の処理を繰り返す。
【００４８】
上記のように構成される建設機械によれば、制御装置４０によってオートアイドル開始スイッチ１１がＯＮの状態に切り換えられると、その時刻から所定時間Ｓｅが経過した後にオートアイドル制御が開始され、エンジン２の回転数がＥＣダイヤル１３で指定したもの（入力回転数）からアイドル回転数設定部４２で設定されたもの（アイドル回転数）に低下する。一般的に、エンジン出力は環境（大気圧、冷却水温度、燃料温度等の環境因子）に応じて変化するが、上記のように構成した建設機械では、環境の変化によるエンジン出力の低下が抑制されるようにアイドル回転数を補正している。すなわち、圧力センサ２７、温度センサ２８及び温度センサ３０のセンサ値に基づいて補正ゲインをそれぞれ算出し、当該補正ゲインで補正したアイドル回転数を利用することで、環境が変化してもエンジン出力を保持することができる。したがって、本実施の形態によれば、環境の変化に応じてエンジン出力が低下してもラグダウンを軽減することができるので、オートアイドル状態から復帰する際における操作フィーリングを良好に保持できる。
【００４９】
また、本実施の形態では、上記のように環境の変化に合わせてアイドル回転数が変化する。そのため、例えば建設機械が高地にある場合には、大気圧、冷却温度及び燃料温度等の環境因子に応じてオートアイドル回転数を上げる方向に基本アイドル回転数を補正するので、高地での気圧低下や温度低下によるエンジン出力低下を予め考慮して基本アイドル回転数を常時高めに設定しておく必要がない。したがって、基本アイドル回転数を、環境の変化を考慮して常時高めに設定する場合よりも低くすることができるので、建設機械の燃費を向上することができる。
【００５０】
なお、オートアイドル状態から復帰する際のラグダウンを抑制する方法としては、上述の特許文献１に記載のように油圧ポンプの吸収トルク（容量）を低減することも考えられる。しかし、このようにオートアイドル状態からの復帰時にエンジン回転数を復帰させた後に油圧ポンプの容量を小さい値から大きくすると、オートアイドル状態からの復帰直後は油圧アクチュエータに供給される圧油の流量が少なくなってしまう。そのため、オートアイドル状態からの復帰直後に油圧アクチュエータを駆動した場合、当該油圧アクチュエータの動作がオペレータが意図するよりも遅くなることが懸念される。これに対して、本実施の形態では、環境の変化に合わせて油圧ポンプ４の容量を変更していなので、オートアイドルからの復帰時に油圧アクチュエータの動作が遅くなることは無い。したがって、この観点からも、オートアイドル状態から復帰する際の操作フィーリングを良好に保持できる。
【００５１】
また、上記の実施の形態では、アイドル回転数設定部４２において、基本アイドル回転数に正の補正ゲインを加算してアイドル回転数を算出する場合について説明したが、基本アイドル回転数に負の補正ゲインを加算して（すなわち、基本アイドル回転数から補正ゲインを減算して）アイドル回転数を算出しても良い。例えば、この場合には、上記の実施の形態の場合よりも基本アイドル回転数を高めに設定しておき、補正ゲイン演算部４３で環境因子の変化に合わせて正及び負又は負のみの補正ゲインが算出されるようにアイドル回転数設定部４２を構成すれば良い。
【符号の説明】
【００５２】
２…エンジン、４…油圧ポンプ、６…油圧アクチュエータ、８…方向切換弁、９…操作レバー、１１…オートアイドル開始スイッチ、１３…エンジンコントロールダイヤル、２３…回転数制御部、２６…操作圧センサ、２７…圧力センサ（大気圧センサ）、２８…温度センサ（冷却水温センサ）、２９…目標回転数設定部、３０…温度センサ（燃料温度センサ）、３９…オートアイドル許可スイッチ、４０…制御装置、４２…アイドル回転数設定部、４５…オートアイドル制御部
【図１】
2012050136.tif 000003
【図２】
2012050136.tif 000004
【図３】
2012050136.tif 000005
【図４】
2012050136.tif 000006
【図５】
2012050136.tif 000007
【手続補正書】
【提出日】平成25年1月30日(2013.1.30)
【手続補正１】
【補正対象書類名】特許請求の範囲
【補正対象項目名】請求項４
【補正方法】変更
【補正の内容】
【請求項４】
請求項１から３のいずれかに記載の建設機械の制御装置において、
前記検出手段は、前記エンジンの燃料温度を検出する燃料温度検出手段であり、
アイドル回転数設定部は、前記燃料温度検出手段で検出される燃料温度が、第１設定値以下の場合には当該燃料温度の低下に合わせて高くなるように前記アイドル回転数を補正し、前記第１設定値より大きく設定された第２設定値以上の場合には当該燃料温度の増加に合わせて大きくなるように前記アイドル回転数を補正することを特徴とする建設機械の制御装置。
【手続補正２】
【補正対象書類名】明細書
【補正対象項目名】００１０
【補正方法】変更
【補正の内容】
【００１０】
（４）上記（１）から（３）のいずれかにおいて、好ましくは、前記検出手段は、前記エンジンの燃料温度を検出する燃料温度検出手段であり、アイドル回転数設定部は、前記燃料温度検出手段で検出される燃料温度が、第１設定値以下の場合には当該燃料温度の低下に合わせて高くなるように前記アイドル回転数を補正し、前記第１設定値より大きく設定された第２設定値以上の場合には当該燃料温度の増加に合わせて大きくなるように前記アイドル回転数を補正するものとする。
【手続補正３】
【補正対象書類名】明細書
【補正対象項目名】００４０
【補正方法】変更
【補正の内容】
【００４０】
第１加算器３５は、第１演算部３２、第２演算部３３及び第３演算部３４から出力された補正ゲインを加算する部分である（以下、各補正ゲインを合計したものを合計補正ゲインと称することがある）。なお、合計補正ゲインを算出する際には、各演算部３３，３４，３５から出力される各補正ゲインに適宜重み付けをして合計補正ゲインを算出しても良い。第１加算器３５で算出された合計補正ゲインは第２加算器３６に出力される。
【国際調査報告】
2012050136.tif 000008
2012050136.tif 000009
2012050136.tif 000010
2012050136.tif 000011